(57)【特許請求の範囲】
【請求項１】
底部と該底部の一方の相対する土手部にヒンジ連結された一方の相対する側壁と前記底部のもう一方の相対する土手部にヒンジ連結されたもう一方の相対する側壁とを有する折り畳みコンテナーにおいて、底部の土手部に配設された雌ヒンジ部材の切欠き凹部を構成する相対する側端面の一方の側端面に突設された係合突片部に、垂直側壁持ち上がり防止用フックを形成するとともに、一方の側端面と対向するもう一方の側端面側に位置する、縦孔を形成する内側垂直壁の内面の上端部に、水平側壁持ち上がり防止用フックを形成し、また、側壁の下端フランジの裏面に配設された雄ヒンジ部材を構成する支持ブロックの側壁の板状部に対して垂直な相対する側面の一方の側面の下端部には、水平側壁持ち上がり防止用ブロック部を形成するとともに、もう一方の側面の下端部には、係止膨出部が形成された垂直側壁持ち上がり防止用ブロック部を形成し、折り畳みコンテナーが箱型に組み立てられ、側壁が略垂直に立てられた際には、側壁に配設された雄ヒンジ部材を構成する垂直側壁持ち上がり防止用ブロック部が、底部の土手部に形成された雌ヒンジ部材を構成する垂直側壁持ち上がり防止用フックの庇部に入り込むように構成するとともに、側壁に配設された雄ヒンジ部材を構成する水平側壁持ち上がり防止用ブロック部が、水平側壁持ち上がり防止用フックの庇部に入り込むように構成したことを特徴とする折り畳みコンテナー。
【発明の詳細な説明】
【技術分野】
【０００１】
本発明は、底部と、底部の一方の相対する土手部にヒンジ連結された一方の相対する側壁と、底部のもう一方の相対する土手部にヒンジ連結されたもう一方の相対する側壁とから構成されている折り畳みコンテナーに関するものであり、箱型に組み立てられた状態から、一方の相対する側壁を底部に重なるように倒し、次いで、もう一方の相対する側壁を、先に倒された一方の相対する側壁に重なるように倒すことにより、折り畳むことができるように構成されている。
【背景技術】
【０００２】
側壁に形成された雄ヒンジ部材が、底部の土手部に形成された雌ヒンジ部材に対して、上下方向に自由に移動できないタイプ、換言すれば、雄ヒンジ部材と雌ヒンジ部材とによるヒンジ連結部が、上下方向に、実質的に移動できないタイプの折り畳みコンテナーにおいて、一方の相対する側壁を倒した際に、側壁の先端部が互いに重なるように構成されている場合には、先に倒された側壁の上に重ねられる側壁が、ヒンジ連結部を支点として、傾斜して倒されることになる。このように、側壁が、傾斜して倒されるように構成された折り畳みコンテナーにおいては、折り畳まれた状態における折り畳みコンテナーの高さが高くなり、従って、折り畳みコンテナーの収容効率が低下することになる。
【０００３】
上述した課題を解決するために、底部の土手部に形成された雌ヒンジ部の凹部の深さを深くして、底部の土手部に形成された雌ヒンジ部に対して、側壁に形成された雄ヒンジ部材が、雌ヒンジ部の凹部内を、上下方向に自由に移動できるようにしたタイプ、換言すれば、雄ヒンジ部材と雌ヒンジ部材とによるヒンジ連結部が、上下方向に、移動可能なタイプの折り畳みコンテナーが知られているが、このようなタイプの折り畳みコンテナーが箱型に組み立てられた際には、ヒンジ連結部が、上下方向に移動可能であるために、作業者が、側壁を持って、箱型に組み立てられた折り畳みコンテナーを持ち上げようとすると、側壁が、底部から持ち上がるという問題があった。
【０００４】
上述した課題を解決するために、本出願人は、本出願人の先の出願である特許文献１において、側壁に形成された雄ヒンジ部材に、側壁の回動支点となるヒンジブロックと箱型に組み立てられた状態における側壁の持ち上がりを阻止するための係合ブロックとを形成した折り畳みコンテナーを提案した。
【０００５】
【特許文献１】特開２００６−１８８２７２号公報
【発明の開示】
【発明が解決しようとする課題】
【０００６】
上述した折り畳みコンテナーにおいては、側壁に形成された雄ヒンジ部材を構成する支持片の下部にヒンジブロックが形成されており、また、支持片の上部に、持ち上がりを阻止するための係合ブロックが形成されているために、倒された状態の側壁を、垂直方向に立てる際に、係合ブロックが、底部の土手部に当接したり、或いは、土手部に乗り上げる等して、倒された状態の側壁を、迅速に、且つ、確実に、略垂直に立てることができないという問題があった。
【０００７】
また、雄ヒンジ部材を構成する支持片に、ヒンジブロックと係合ブロックとを、支持片の上下に、それぞれ形成するために、支持片を長くしなければならず、従って、支持片、ひいては、雄ヒンジ部材が損傷し易くなるという問題があった。
【０００８】
更には、雄ヒンジ部材を構成する支持片には、ヒンジブロックと係合ブロックとが形成されているために、側壁を成形するための金型が複雑になり、従って、金型のコストが上昇し、ひいては、折り畳みコンテナーの製造コストが上昇するという問題があった。
【０００９】
本発明の目的は、上述した従来の折り畳みコンテナーが有する側壁の持ち上がりを防止することにある。
【課題を解決するための手段】
【００１０】
本発明は、上述した目的を達成するために、底部と該底部の一方の相対する土手部にヒンジ連結された一方の相対する側壁と前記底部のもう一方の相対する土手部にヒンジ連結されたもう一方の相対する側壁とを有する折り畳みコンテナーにおいて、底部の土手部に配設された雌ヒンジ部材の切欠き凹部を構成する相対する側端面の一方の側端面に突設された係合突片部に、垂直側壁持ち上がり防止用フックを形成するとともに、一方の側端面と対向するもう一方の側端面側に位置する、縦孔を形成する内側垂直壁の内面の上端部に、水平側壁持ち上がり防止用フックを形成し、また、側壁の下端フランジの裏面に配設された雄ヒンジ部材を構成する支持ブロックの側壁の板状部に対して垂直な相対する側面の一方の側面の下端部には、水平側壁持ち上がり防止用ブロック部を形成するとともに、もう一方の側面の下端部には、係止膨出部が形成された垂直側壁持ち上がり防止用ブロック部を形成し、折り畳みコンテナーが箱型に組み立てられ、側壁が略垂直に立てられた際には、側壁に配設された雄ヒンジ部材を構成する垂直側壁持ち上がり防止用ブロック部が、底部の土手部に形成された雌ヒンジ部材を構成する垂直側壁持ち上がり防止用フックの庇部に入り込むように構成するとともに、側壁に配設された雄ヒンジ部材を構成する水平側壁持ち上がり防止用ブロック部が、水平側壁持ち上がり防止用フックの庇部に入り込むように構成したものである。
【発明の効果】
【００１１】
底部に配設された雌ヒンジ部材の切欠き凹部を構成する側端面に突設された係合突片部に、垂直側壁持ち上がり防止用フックを形成するとともに、前記側端面と対向する側端面側に位置する内側垂直部の内面に、水平側壁持ち上がり防止用フックを形成し、また、側壁に配設された雄ヒンジ部材を構成する支持ブロックの一方の側面の下端部に、水平側壁持ち上がり防止用ブロック部を形成するとともに、もう一方の側面の下端部に、垂直側壁持ち上がり防止用ブロック部を形成したので、上述した従来の折り畳みコンテナーのように、倒された状態の側壁を、垂直方向に立てる際に、係合ブロックが、底部の土手部に当接したり、或いは、土手部に乗り上げるようなことがなく、従って、倒された状態の側壁を、迅速に、且つ、確実に、略垂直に立てることができる。
【００１２】
雄ヒンジ部材の支持ブロックには、上述した特許文献１に記載されているような係合ブロックが形成されていないので、支持ブロックの下端フランジからの長さを短くすることができ、従って、雄ヒンジ部材が損傷するようなことを防止することができる。
【実施例】
【００１３】
以下に、本発明の実施例について説明するが、本発明の趣旨を越えない限り、何ら、本実施例に限定されるものではない。
【００１４】
先ず最初に、図１及び図２を用いて、本発明の折り畳みコンテナーの全体構成について説明する。
【００１５】
１は、平面形状が略長方形の底部で有り、底部１は、相対する長辺側に形成された土手部（以下、長辺側土手部という。）１ａと、相対する短辺側に形成された土手部（以下、短辺側土手部という。）１ｂとを有しており、本実施例においては、長辺側土手部１ａの高さは、短辺側土手部１ｂの高さより、低く形成されている。また、長辺側土手部１ａ及び短辺側土手部１ｂには、後述する雌ヒンジ部材Ｈ１が、所定の間隔で適当数、配設されている。
【００１６】
２は、長側壁であり、長側壁２の下端フランジ２ａの裏面には、底部１の長辺側土手部１ａに配設された雌ヒンジ部材Ｈ１に対応して、後述する雄ヒンジ部材Ｈ２が配設されている。３は、短側壁であり、短側壁３の下端フランジ３ａの裏面にも、底部１の短側壁土手部１ｂに配設された雌ヒンジ部材Ｈ１に対応して、後述する雄ヒンジ部材Ｈ２が配設されている。
【００１７】
長側壁２の下端フランジ２ａに配設された雄ヒンジ部材Ｈ２と底部１の長辺側土手部１ａに配設された雌ヒンジ部材Ｈ１とを連結することにより、長側壁２が、底部１にヒンジ連結され、また、短側壁３の下端フランジ３ａに配設された雄ヒンジ部材Ｈ２と底部１の短辺側土手部１ｂに配設された雌ヒンジ部材Ｈ１とを連結することにより、短側壁３が、底部１にヒンジ連結されて、折り畳みコンテナーが構成されることになる。
【００１８】
図２に示されているように、折り畳まれた状態から、図１に示されているように、箱型に組み立てるには、先ず最初に、略水平状態の短側壁３を、略垂直に立て、次いで、長側壁２を、略垂直に立てることにより、折り畳みコンテナーが、箱型に組み立てられることになる。また、箱型に組み立てられた折り畳みコンテナーを、折り畳むには、先ず最初に、長側壁２を底部１に重なるように倒し、次いで、短側壁３を、先に倒された長側壁２に重なるように倒すことにより、折り畳みコンテナーが、折り畳まれることになる。
【００１９】
折り畳まれた状態においては、長側壁２の先端部が、互いに部分的に重なり合うように構成されており、同様に、短側壁３の先端部も、互いに部分的に重なり合うように構成されている。
【００２０】
次に、図３〜図５を用いて、底部１の長辺側土手部１ａに配設されている雌ヒンジ部材Ｈ１を例に、雌ヒンジ部材Ｈ１について説明する。なお、底部１の短辺側土手部１ｂに配設されている雌ヒンジ部材Ｈ１も、実質的に、長辺側土手部１ａに配設されている雌ヒンジ部材Ｈ１と同じであるので、その詳細な説明は省略する。
【００２１】
なお、本実施例においては、長辺側土手部１ａの３箇所に、雌ヒンジ部材Ｈ１が形成されている例が示されているが、４箇所以上に形成することもできる。また、雌ヒンジ部材Ｈ１間に形成されている凹部１ａ’は、短側壁３の上部及び中間部に形成された、短側壁３の板状部３ｃに対して略垂直に延在する公知の係合枠３ｂが、短側壁３が底部１に重ねられた際に、嵌合される凹部である。
【００２２】
雌ヒンジ部材Ｈ１には、後述する雄ヒンジ部材Ｈ２が嵌合可能な、平面形状が長方形の縦孔４が形成されており、この縦孔４は、長辺側土手部１ａの外壁１ａ１を上方に延在することにより形成された外側垂直壁４ａと、長辺側土手部１ａの内壁１ａ２を上方に延在することにより形成された内側垂直壁４ｂと、外側垂直壁４ａの両端と内側垂直壁４ｂの両端を連結する相対する垂直短壁４ｃとにより囲まれている。また、内側垂直壁４ｂには、その上端が、縦孔４に連接された切欠き凹部５が形成されている。
【００２３】
切欠き凹部５を構成する相対する側端面５ａ、５ｂのうち、一方の側端面５ａは、底板１ｃ付近まで延在する上部垂直部５ａ１と、該上部垂直部５ａ１の下端から、もう一方の側端面５ｂ方向に延在する水平部５ａ２と、該水平部５ａ２の先端から、下方に延在する下部垂直部５ａ３とにより形成されている。本実施例においては、下部垂直部５ａ３が、底板１ｃまで延在している例が示されている。
【００２４】
もう一方の側端面５ｂは、一方の側端面５ａの上部垂直部５ａ１より高さの低い上部垂直部５ｂ１と、該上部垂直部５ｂ１の下端から、一方の側端面５ａから離反する方向に延在する水平部５ｂ２と、該水平部５ｂ２の先端から、下方に延在する下部垂直部５ｂ３とにより形成されている。本実施例においては、下部垂直部５ｂ３が、底板１ｃまで延在している例が示されている。
【００２５】
一方の側端面５ａともう一方の側端面５ｂとの間に位置する切欠き凹部５の上部領域は、縦孔４の略中央部に位置しており、また、もう一方の側端面５ｂを形成する下部垂直部５ｂ３は、縦孔４を形成する垂直短壁４ｃと略面一になるように構成されている。
【００２６】
また、雌ヒンジ部材Ｈ１には、一方の側端面５ａを形成する水平部５ａ２と、縦孔４を形成する外側垂直壁４ａと内側垂直壁４ｂと一方の垂直短壁４ｃとに連接された水平段部６が形成されている。
【００２７】
更に、もう一方の側端面５ｂには、内側垂直壁４ｂの上端面と上部垂直部５ｂ１と水平部５ｂ２とにより区画された、一方の側端面５ａの上部垂直部５ａ１方向に延在する係合突片部７が形成されている。
【００２８】
係合突片部７が形成されていない側に位置する内側垂直壁４ｂの内面（外側垂直壁４ａと対向する面）の上端部には、ブロック状のフック８が突設されており、このフック８は、略水平状態に折り畳まれた状態の長側壁２の持ち上がりを防止するためのものであり、以下、このフック８を、便宜的に、水平側壁持ち上がり防止用フックと称する。
【００２９】
また、突片部７の内面（外側垂直壁４ａと対向する面）には、上述した水平側壁持ち上がり防止用フック８と同様のブロック状のフック９が突設されており、このフック９は、略垂直状態に立てられた状態の長側壁２の持ち上がりを防止するためのものであり、以下、このフック９を、便宜的に、垂直側壁持ち上がり防止用フックと称する。
【００３０】
上述した外側垂直壁４ａと内側垂直壁４ｂと相対する垂直短壁４ｃとにより囲まれて縦孔４、切欠き凹部５、係合突片部７、水平側壁持ち上がり防止用フック８及び垂直側壁持ち上がり防止用フック９等により、雌ヒンジ部材Ｈ１が構成されている。
【００３１】
次に、図６〜図８を用いて、長側壁２に配設された雄ヒンジ部材Ｈ２について説明する。なお、短側壁３に配設されている雄ヒンジ部材Ｈ２も、実質的に、長側壁２に配設されている雄ヒンジ部材Ｈ２と同じであるので、その詳細な説明は省略する。
【００３２】
一方、長側壁２の板状部２ｂに垂直な下端フランジ２ａの裏面には、雄ヒンジ部材Ｈ２が形成されており、雄ヒンジ部材Ｈ２は、下端フランジ２ａの裏面に垂設された支持ブロック１０を有している。
【００３３】
長側壁２の板状部２ｂに対して垂直な、支持ブロック１０の相対する側面１０ａ、１０ｂの一方の側面１０ａの下端部には、該側面１０ａに対して垂直なブロック部１１が形成されており、このブロック部１１は、折り畳まれた水平状態にある長側壁２が持ち上げられた際には、底部１の長辺側土手部１ａに形成された雌ヒンジ部材Ｈ１を構成する水平側壁持ち上がり防止用フック８の庇部８ａに当接するようにように構成されている。以下、このブロック部１１を、水平側壁持ち上がり防止用ブロック部と称する。水平側壁持ち上がり防止用ブロック部１１の内面（箱型に組み立てられた折り畳みコンテナーの内部側に位置する面）１１ａは、支持ブロック１０の内面（箱型に組み立てられた折り畳みコンテナーの内部側に位置する面）１０ｃと略面一に形成されている。
【００３４】
また、長側壁２の板状部２ｂに対して垂直な、支持ブロック１０の相対する側面１０ａ、１０ｂのうちのもう一方の側面１０ｂの下端部には、該側面１０ｂに対して垂直なブロック部１２が形成されており、このブロック部１２には、支持ブロック１０の内面１０ｃを越える係止膨出部１２ａが形成されている。長側壁２が、略垂直に立てられた際には、ブロック部１２が、底部１の長辺側土手部１ａに形成された雌ヒンジ部材Ｈ１を構成する垂直側壁持ち上がり防止用フック９の庇部９ａに入り込み、垂直側壁持ち上がり防止用フック９の庇部９ａに当接、或いは、垂直側壁持ち上がり防止用フック９の庇部９ａに接近して位置するように構成されている。以下、このブロック部１２を、垂直側壁持ち上がり防止用ブロック部と称する。
【００３５】
上述した長側壁２の下端フランジ２ａに配設された支持ブロック１０と水平側壁持ち上がり防止用ブロック部１１と垂直側壁持ち上がり防止用ブロック部１２とにより、雄ヒンジ部材Ｈ２が構成されている。
【００３６】
上述した特許文献１に記載されているように．底部１の長辺側土手部１ａに配設された雌ヒンジ部材Ｈ１と長側壁２に配設された雄ヒンジ部材Ｈ２とをヒンジ連結し、また、底部１の短辺側土手部１ｂに配設された雌ヒンジ部材Ｈ１と短側壁３に配設された雄ヒンジ部材Ｈ２とをヒンジ連結することにより、底部１に、長側壁２と短側壁４が組み付けられることになる。このような底部１への長側壁２及び短側壁３の組み付けは、特許文献１に記載されているとともに、周知であるので、その詳細は省略する。
【００３７】
次に、図９〜図１１を用いて、折り畳みコンテナーが箱型に組み立てられた状態における、底部１に配設された雌ヒンジ部材Ｈ１と長側壁２に配設された雄ヒンジ部材Ｈ２とのヒンジ連結部について説明する。
【００３８】
折り畳みコンテナーが箱型に組み立てられ、長側壁２が、略垂直に立てられた際には、長側壁２に配設された雄ヒンジ部材Ｈ２を構成する垂直側壁持ち上がり防止用ブロック部１２が、底部１の長辺側土手部１ａに形成された雌ヒンジ部材Ｈ１を構成する垂直側壁持ち上がり防止用フック９の庇部９ａに入り込み、垂直側壁持ち上がり防止用フック９の庇部９ａに当接、或いは、垂直側壁持ち上がり防止用フック９の庇部９ａに接近して位置するように構成されており、従って、長側壁２の上方への持ち上げが阻止されるように構成されている。
【００３９】
また、折り畳みコンテナーが箱型に組み立てられ、長側壁２が、略垂直に立てられた際には、長側壁２に配設された雄ヒンジ部材Ｈ２を構成する水平側壁持ち上がり防止用ブロック部１１が、底部１の長辺側土手部１ａに形成された雌ヒンジ部材Ｈ１を構成する水平側壁持ち上がり防止用フック８から、所定距離、離れた、庇部８ａの下方に位置するように構成されているが、上述したように、長側壁２に配設された雄ヒンジ部材Ｈ２を構成する垂直側壁持ち上がり防止用ブロック部１２が、底部１の長辺側土手部１ａに形成された雌ヒンジ部材Ｈ１を構成する垂直側壁持ち上がり防止用フック９の庇部９ａに入り込み、垂直側壁持ち上がり防止用フック９の庇部９ａに当接、或いは、垂直側壁持ち上がり防止用フック９の庇部９ａに接近して位置するように構成されているので、長側壁２が持ち上げられるようなことはない。
【００４０】
次に、図１２〜図１４を用いて、折り畳みコンテナーが折り畳まれた状態における、底部１に配設された雌ヒンジ部材Ｈ１と長側壁２に配設された雄ヒンジ部材Ｈ２とのヒンジ連結部について説明する。
【００４１】
箱型に組み立てられた折り畳みコンテナーを折り畳む際には、一方の相対する長側壁２のうち、一方の長側壁２が、底部１に重なるように、略水平に倒され、次いで、もう一方の長側壁２が、先に倒された長側壁２の上に、略水平に倒されることになる。このように、後から倒される長側壁３を、略水平に倒すことができるのは、特許文献１に記載されているように、雌ヒンジ部材Ｈ１に形成された切欠き凹部５が、雄ヒンジ部材Ｈ２を構成する支持ブロック１０の厚さ（長側壁２の板状部２ｂに対して垂直方向の厚さ）の略２倍の深さを有するように構成されているからである。
【００４２】
折り畳みコンテナーが折り畳まれ、長側壁２が、略水平に倒された際には、後から倒された長側壁２に配設された雄ヒンジ部材Ｈ２を構成する水平側壁持ち上がり防止用ブロック部１１が、底部１の長辺側土手部１ａに形成された雌ヒンジ部材Ｈ１を構成する水平側壁持ち上がり防止用フック８の庇部８ａに当接、或いは、水平側壁持ち上がり防止用フック８の庇部８ａに接近して位置するように構成されている。従って、後から倒された長側壁２が、上方に持ち上げられても、長側壁２に配設された雄ヒンジ部材Ｈ２を構成する水平側壁持ち上がり防止用ブロック部１１が、底部１の長辺側土手部１ａに形成された雌ヒンジ部材Ｈ１を構成する水平側壁持ち上がり防止用フック８の庇部８ａに当接し、底部１と長側壁２とのヒンジ連結が解除されるようなことがない。
【００４３】
また、長側壁２が、略水平に倒された際には、長側壁２に配設された雄ヒンジ部材Ｈ２を構成する垂直側壁持ち上がり防止用ブロック部１２が、底部１の長辺側土手部１ａに形成された雌ヒンジ部材Ｈ１を構成する垂直側壁持ち上がり防止用フック９の庇部９ａから離れて位置しても、上述したように、長側壁２に配設された雄ヒンジ部材Ｈ２を構成する水平側壁持ち上がり防止用ブロック部１１が、底部１の長辺側土手部１ａに形成された雌ヒンジ部材Ｈ１を構成する水平側壁持ち上がり防止用フック８の庇部８ａに当接することになり、従って、底部１と長側壁２とのヒンジ連結が解除されるようなことがない。
【００４４】
なお、相対する長側壁２のうち、底部１に重なるように、先に倒された長側壁２に配設された雄ヒンジ部材Ｈ２を構成する支持ブロック１０の内面１０ｃや水平側壁持ち上がり防止用ブロック部１１の内面１１ａが、水平段部６に載置されるように構成されている。また、垂直側壁持ち上がり防止用ブロック部１２の係止膨出部１２ａは、水平段部６と側壁部４ｂとの間に形成された透孔１３に挿入されるように構成されている。このように構成することにより、長側壁２の板状部２ｂの内面と底部１の底板１ｃの上面とを、実質的に接触状態とすることができ、従って、折り畳まれた状態の長側壁２の高さを低くすることができ、ひいては、折り畳まれた状態の折り畳みコンテナーの高さを低くすることができる。
【００４５】
上述したように、底部１の長辺側土手部１ａに配設された雌ヒンジ部材Ｈ１の切欠き凹部５を構成する側端面５ｂに突設された係合突片部７に、垂直側壁持ち上がり防止用フック９を形成するとともに、側端面５ｂと対向する側端面５ａ側に位置する、縦孔４を形成する内側垂直壁４ｂの内面の上端部に、水平側壁持ち上がり防止用フック８を形成し、また、長側壁２の下端フランジ２ａの裏面に配設された雄ヒンジ部材を構成する支持ブロック１０の長側壁２の板状部２ｂに対して垂直な相対する側面１０ａ、１０ｂの一方の側面１０ａの下端部には、水平側壁持ち上がり防止用ブロック部１１を形成するとともに、もう一方の側面１０ｂの下端部には、垂直側壁持ち上がり防止用ブロック部１２を形成したので、上述した特許文献１に記載されているような、支持片の下端部に、ヒンジブロックが形成され、また、ヒンジブロックの上方に、係合ブロックが形成されている雄ヒンジ部材のように、倒された状態の側壁を、垂直方向に立てる際に、係合ブロックが、底部の土手部に当接したり、或いは、土手部に乗り上げるようなことがなく、従って、倒された状態の長側壁２を、迅速に、且つ、確実に、略垂直に立てることができる。
【００４６】
また、雄ヒンジ部材Ｈ２の支持ブロック１０には、上述した特許文献１に記載されているような係合ブロックが形成されていないので、支持ブロック１０の下端フランジ２ａからの長さを短くすることができ、従って、支持ブロック１０、ひいては、雄ヒンジ部材Ｈ２が損傷するようなことを防止することができる。
【００４７】
更に、雄ヒンジ部材Ｈ２の支持ブロック１０には、上述した特許文献１に記載されているような係合ブロックが形成されていないので、長側壁３を成形するための金型の製造コストを低減することができる。
【図面の簡単な説明】
【００４８】
【図１】図１は、箱型に組み立てられた状態の本発明の折り畳みコンテナーの斜視図である。
【図２】図２は、折り畳まれた状態の本発明の折り畳みコンテナーの斜視図である。
【図３】図３は、本発明の折り畳みコンテナーを構成する底部の斜視図である。
【図４】図４は、本発明の折り畳みコンテナーを構成する底部に配設された雌ヒンジ部材の拡大斜視図である。
【図５】図５は、同じく、本発明の折り畳みコンテナーを構成する底部に配設された雌ヒンジ部材の拡大斜視図である。
【図６】図６は、本発明の折り畳みコンテナーを構成する長側壁の斜視図である。
【図７】図７は、本発明の折り畳みコンテナーを構成する長側壁に配設された雄ヒンジ部材の拡大斜視図である。
【図８】図８は、同じく、本発明の折り畳みコンテナーを構成する長側壁に配設された雄ヒンジ部材の拡大斜視図である。
【図９】図９は、本発明の折り畳みコンテナーが箱型に組み立てられた状態の短側壁に沿った部分垂直断面図である。
【図１０】図１０は、図９に示されているヒンジ連結部付近の部分拡大垂直断面図である。
【図１１】図１１は、図９に示されているヒンジ連結部付近の部分拡大斜視図である。
【図１２】図１２は、本発明の折り畳みコンテナーが折り畳まれた状態の短側壁に沿った部分垂直断面図である。
【図１３】図１３は、図１２に示されているヒンジ連結部付近の部分拡大垂直断面図である。
【図１４】図１４は、図１２に示されているヒンジ連結部付近の更なる部分拡大垂直断面図である。
【符号の説明】
【００４９】
Ｈ１・・・・・・・・・・・・・・雌ヒンジ部材
Ｈ２・・・・・・・・・・・・・・雄ヒンジ部材
１・・・・・・・・・・・・・・・底部
２・・・・・・・・・・・・・・・長側壁
３・・・・・・・・・・・・・・・短側壁
７・・・・・・・・・・・・・・・係合突片部
８・・・・・・・・・・・・・・・水平側壁持ち上がり防止用フック
９・・・・・・・・・・・・・・・垂直側壁持ち上がり防止用フック
１０・・・・・・・・・・・・・・支持ブロック
１１・・・・・・・・・・・・・・水平側壁持ち上がり防止用ブロック部
１２・・・・・・・・・・・・・・垂直側壁持ち上がり防止用ブロック部
【図１】
0004979504.tif 000002
【図２】
0004979504.tif 000003
【図３】
0004979504.tif 000004
【図４】
0004979504.tif 000005
【図５】
0004979504.tif 000006
【図６】
0004979504.tif 000007
【図７】
0004979504.tif 000008
【図８】
0004979504.tif 000009
【図９】
0004979504.tif 000010
【図１０】
0004979504.tif 000011
【図１１】
0004979504.tif 000012
【図１２】
0004979504.tif 000013
【図１３】
0004979504.tif 000014
【図１４】
0004979504.tif 000015